(57)【要約】【課題】音楽等のデータの再生中に着信があっても、音楽等の再生を中断することなく着信を伝えることが可能な携帯端末装置を提供する。【解決手段】携帯電話機１００は、アンテナ１、無線電話網の基地局に無線で接続される送受信部２、制御部４、記憶媒体に音楽等の音データの記憶／読み出しが可能なメロディプレーヤ部５、イヤホン接続検出部６、イヤホンマイク８が接続されるイヤホンジャック７、音声処理部９、記憶部１６等を備えて構成されている。制御部４は、メロディプレーヤ部５が動作中であるときに着呼が有ったことを判断すると、メロディプレーヤ部５の再生動作を継続したまま、イヤホンマイク８がイヤホンジャック７に接続されているときにはバイブレータ８ａを駆動し、着呼が有ったことを音によらずに報知する。【選択図】　　　　図１
2004080395.tif 000002
【特許請求の範囲】
【請求項１】
無線電話網の基地局に電波の送受信により接続される無線部と、制御部と、前記無線部及び前記制御部を内蔵する本体と、データを記憶するデータ記憶部と、必要に応じて前記データ記憶部から前記データの読み出しが可能なデータ再生部とを備えた携帯端末装置であって、
外部接続のバイブレータと接続することで、前記データ再生部の動作中に着呼を受けたとき、前記制御部が前記データ再生部の動作を継続したまま前記外部接続のバイブレータを駆動することを特徴とする携帯端末装置。
【請求項２】
前記データ記憶部及び前記データ再生部は、前記本体に内蔵されていることを特徴とする請求項１記載の携帯端末装置。
【請求項３】
前記データ記憶部及び前記データ再生部は、前記本体に外付けされることを特徴とする請求項１記載の携帯端末装置。
【請求項４】
前記本体は、本体内バイブレータを備え、
前記制御部は、前記着呼に伴う前記本体内バイブレータ若しくは前記外部接続のバイブレータのいずれか一方または双方の駆動を音声による通話、またはデータ通信に対して実行することを特徴とする請求項１乃至３のいずれか１の携帯端末装置。
【請求項５】
前記本体は、送話器としてのマイク、受話器及びデータ再生用としてのイヤホン、前記外部接続のバイブレータを具備するイヤホンマイクが接続されるイヤホンジャックを備え、
前記イヤホンマイクが前記イヤホンジャックに接続されている際に着呼を受けたとき、前記制御部が前記イヤホンマイクに具備される前記外部接続のバイブレータを駆動することを特徴とする請求項１乃至４のいずれか１に記載の携帯端末装置。
【請求項６】
前記本体は、前記イヤホンマイクがイヤホンジャックに接続されているか否かを検出するイヤホン接続検出部を備え、
前記イヤホンマイクが前記イヤホンジャックに接続されていることを前記イヤホン接続検出部が検出すると、前記制御部が前記データ再生部からの音データの再生出力を前記イヤホンマイクに送出することを特徴とする請求項５記載の携帯端末装置。
【請求項７】
前記本体は、前記データを微弱電波により送信する本体側送受信手段を備え、
更に、送話器としてのマイク、受話器及びデータ再生用としてのイヤホン、前記本体側送受信手段から送られるデータを受信し前記マイクの音データを前記本体に送信するワイヤレス側送受信手段、及び前記外部接続のバイブレータを備えるワイヤレスイヤホンマイクをオプションとし、
着呼時には前記制御部が前記ワイヤレスイヤホンマイクに具備される前記外部接続のバイブレータを駆動するデータを前記本体側送受信手段より送信することを特徴とする請求項１乃至４のいずれか１に記載の携帯端末装置。
【請求項８】
前記本体は、前記データ再生部による再生音を出力する専用のスピーカを備えることを特徴とする請求項１乃至７のいずれか１に記載の携帯端末装置。
【請求項９】
前記本体は、各種の表示を行う表示部を備え、
前記制御部は、前記着呼時に発呼者の電話番号を前記表示部に表示させることを特徴とする請求項１乃至８のいずれか１に記載の携帯端末装置。
【請求項１０】
前記データ記憶部は、電気通信回線を通して入手したデータ、パーソナルコンピュータからのデータ、または記憶媒体からのデータが記憶可能であることを特徴とする請求項１乃至９のいずれか１に記載の携帯端末装置。
【請求項１１】
前記制御部は、前記着呼に対してオフフックが行われたとき、前記データ再生部の動作を一時中断し、通話終了後に再起動させることを特徴とする請求項１乃至１０のいずれか１に記載の携帯端末装置。
【請求項１２】
前記データ再生部は、前記再起動時に、前記一時中断した箇所から再生していたデータの再生を開始し、または異なる設定に基づいて前記一時中断されたデータまたは他のデータの再生を開始することを特徴とする請求項１１記載の携帯端末装置。
【請求項１３】
前記無線部は、携帯電話、ＰＨＳ（Ｐｅｒｓｏｎａｌ　Ｈａｎｄｙｐｈｏｎｅ　Ｓｙｓｔｅｍ）電話、携帯電話方式またはＰＨＳ方式による無線通信機能を有するＰＤＡ（Ｐｅｒｓｏｎａｌ　Ｄｉｇｉｔａｌ　Ａｓｓｉｓｔａｎｔ）端末の何れかに対応していることを特徴とする請求項１乃至１２のいずれか１に記載の携帯端末装置。
【発明の詳細な説明】
【０００１】
【発明の属する技術分野】
本発明は、携帯端末装置に関し、特に、データ再生部により音楽等を再生中に着呼があったとき、その着呼を前記データ再生部の動作を止めることなく行えるようにする携帯端末装置に関する。
【０００２】
【従来の技術】
近年、携帯電話機の普及が目ざましく、その加入者数は固定電話を越えるに至っている。場所や時間を問わず電話ができるため、電波が届きさえすれば、着信（着呼）は電車やバスの中、公共の場所等であっても可能であり、着信音や会話により周囲に迷惑を及ぼすこともある。そこで、電車内や公共の場所等では、電源をオフにし、使用を自粛することがマナーとなっている。しかしながら、電源を切り忘れたり、或いは、やむを得ず着信を受けたい場合等もあり、このようなときに着信が生じることは避けられない。しかし、使用が自粛されている場所で着信音が鳴ることは、ユーザーにとっても周囲の人にとっても困惑することになる。このような状況に対応できるようにするため、最近の殆どの携帯端末装置は、超小型のモータを利用して機械的な振動を発生させるバイブレータが搭載されている。このバイブレータ機能をオンにさせておくことにより、着信音は消され、携帯端末装置の筐体が振動することにより、ユーザーは着信有りを知ることができる。
【０００３】
しかし、携帯端末装置が手や体から離れた場所、例えば、バッグ等に収納されていた場合、バイブレータ機能をオンにしていれば、振動を感知できないため、着信を知ることができない。そこで、マイク（マイクロホン）やイヤホンのほか、アダプタ、ユニット、またはバイブレータ付きのイヤホンマイク（ｅａｒｐｈｏｎｅ　ｍｉｃｒｏｐｈｏｎｅ）　を携帯端末装置に接続できるようにし、携帯端末装置が手元に無くとも着信を知ることができるようにしたものが、特開平８−１６３２１３号公報、特開平１０−５１５１９号公報、特開平１０−２９０４９０号公報、特開２０００−１３４８５号公報、特開２００１−８６２０２号公報、及び特許第２９５４１５０号等に提案されている。
【０００４】
また、携帯端末装置は常時携帯する人が多いことから、電話機能以外の機能、例えば、電子電話帳機能、電子手帳機能、録音機能、電子メール機能、カメラ機能、ＧＰＳ（Ｇｌｏｂａｌ　Ｐｏｓｉｔｉｏｎｉｎｇ　Ｓｙｓｔｅｍ：全世界測位システム）機能等を備えたものが市販されている。或いは、携帯端末装置にオーディオプレーヤの機能を内蔵させた機種も提案されている（例えば、特開２００１−３３３１６１号公報及び実開平５−６９５８号公報）。
【０００５】
特開２００１−３３３１６１号公報の発明は、携帯電話等のための無線電話部のほかに、ＭＰＥＧ３（Ｍｏｖｉｎｇ　Ｐｉｃｔｕｒｅ　Ｅｘｐｅｒｔｓ　Ｇｒｏｕｐ　Ａｕｄｉｏ　Ｌａｙｅｒ−３）等で圧縮処理された音データを記憶すると共に前記音データを再生する音データ処理部と、この音データ処理部に接続されると共に音楽再生に関する処理を行う音声入出力処理部とを備え、１台の携帯端末装置によって無線電話と音楽等の音データの記憶／再生が行えるようにしている。更に、音データの再生中に着信があった時、音データの再生を中断し、ヘッドフォン（ｈｅａｄ　ｐｈｏｎｅ）マイクから着信音を出力して着信を知らせ、更に通話が行えるようにしている。そして、通話が終了すると、中断していた音データの再生が開始される。
【０００６】
また、実開平５−６９５８号公報の発明は、カセットプレーヤによるヘッドフォンステレオ部と無線電話部とを１つの筐体に一体化し、ヘッドフォンを使用して音楽を再生中に着信があったときには呼出音を優先し、ヘッドフォンから呼出音を出力する。呼出音を聞いたユーザーは、スイッチを切り替えてオフフックにし、通話を行う。通話終了後に前記スイッチをヘッドフォンステレオ部に切り替えれば、音楽再生が再開される。
【０００７】
特開２００１−３３３１６１号公報の発明のような構成は、半導体技術の進歩及び高機能化に伴って内蔵の半導体メモリーの大容量化が容易になっており、その実現に問題はない。さらに、インターネットの普及により、Ｗｅｂサイト等からのメロディーデータのダウンロードが可能になったほか、技術向上により音質レベルも改善されたため、音楽好きのユーザーは、特許第２９５４１５０号のようにポータブルオーディオプレーヤを別途用意することなく、携帯端末装置単体でメロディ演奏を十分に楽しむことができる。
【０００８】
【発明が解決しようとする課題】
しかし、従来の携帯端末装置によると、その筐体にステレオスピーカを内蔵させることがサイズ的に困難であると共に周囲の人に迷惑をかけない配慮から、音楽等の音データの再生には、通常、イヤホンマイクが使用される。この場合、音データの再生中に着信があると、実開平５−６９５８号公報に示される構成のように、実行中の音楽再生は突然中止され、音楽に代わって予め設定された着信音（メロディーまたはモノトーン）がイヤホンマイク内のイヤホンから出力される。このため、気分良く聞いていたユーザーは、非常に不愉快な思いをすることになる。この問題は、イヤホンマイクの使用時ほどではないとしても、本体のみで音データの再生を行っている場合も同様である。
【０００９】
そこで、本発明の目的は、音楽等のデータの再生中に着信があっても、音楽等の再生を中断することなく着信を伝えることが可能な携帯端末装置を提供することにある。
【００１０】
【課題を解決するための手段】
本発明は、上記の目的を達成するため、無線電話網の基地局に電波の送受信により接続される無線部と、制御部と、前記無線部及び前記制御部を内蔵する本体と、データを記憶するデータ記憶部と、必要に応じて前記データ記憶部から前記データの読み出しが可能なデータ再生部を備えた携帯端末装置であって、外部接続のバイブレータと接続することで、前記データ再生部の動作中に着呼を受けたとき、前記制御部が前記データ再生部の動作を継続したまま前記外部接続のバイブレータを駆動することを特徴とする携帯端末装置を提供する。
【００１１】
この構成によれば、データ再生部の動作中（再生中）に着呼があったとき、制御部はデータ再生部の動作を継続したまま、すなわち音楽等のデータの再生を続けたまま着呼の報知を外部接続のバイブレータを駆動する。したがって、ユーザーは、音楽等のデータの演奏（再生）を中断されることなく、かつ音によらずに着呼を受けることができるため、着呼時に不愉快な思いをすることがない。
【００１２】
【発明の実施の形態】
以下、本発明の実施の形態を図面に基づいて説明する。なお、本発明の実施の形態においては、再生の対象は音データであるとする。
図１は、本発明による携帯端末装置の構成を示す。以下においては、携帯端末装置は、携帯電話機であるとする。
携帯電話機１００は、アンテナ１、送受信部２、変復調部３、制御部４、データ記憶部及びデータ再生部としてのメロディプレーヤ（ｍｅｌｏｄｙｐｌａｙｅｒ）５、イヤホン接続検出部６、イヤホンジャック７、このイヤホンジャック７に接続されると共にバイブレータ８ａを搭載したバイブレータ付きイヤホンマイク８（以下、イヤホンマイクという）８、音声処理部９、受話器として用いられるスピーカ１０、送話器として用いられるマイクロフォン（マイク）１１、サウンダ１２、本体内に設けられると共に機械的な振動を発生させるバイブレータ１３、ＬＣＤ（液晶表示器）等による表示部１４、操作部１５、記憶部１６、上記の各回路部に所定の電圧の電源供給を行う電源部１７、この電源部１７に電力を供給する電池１８、及びメロディプレーヤ部５からの音データを音響出力するスピーカ１９を備えて構成されている。スピーカ１９は、音楽演奏を行うものであるため、音質特性、音域特性、出力特性等に優れた、いわゆるハイファイ音を出力可能な製品を選ぶことが望ましい。
【００１３】
図１より明らかなように、本発明の携帯電話機１００は、アンテナ１、送受信部２、変復調部３、制御部４、音声処理部９、スピーカ１０、マイク１１、表示部１２、操作部１３、（更にはイヤホンマイク８）を使用して実行される携帯電話電話機能と、Ｗｅｂサイト等からダウンロードした音楽等のデータを記憶し、これを再生してイヤホンマイク８で聞くことができるようにするメロディプレーヤ機能（メロディプレーヤ部５、スピーカ１９、及びイヤホンマイク８による）とを備えて構成されている。
【００１４】
アンテナ１は、携帯電話機１００の本体上部等に伸縮可能に取り付けられたホイップ型等のアンテナである。送受信部２は送信回路及び受信回路を備えて構成されており、無線電話網の基地局との接続を電波により行う。変復調部３は送受信部２に接続され、送信する信号の変調及び情報化された信号の復調を行う。送受信部２と変復調部３とにより無線部が形成される。
【００１５】
送受信部２は、受信回路及び送信回路を備えて構成され、基地局との間で無線による送信及び受信を行う。変復調部３は、送信対象のデータを変調して変復調部３へ送出すると共に変復調部３からの受信信号を復調する。制御部４は、ＣＰＵ及び入出力インターフェース回路等を備えて構成され、携帯電話機１００の全体を制御する。
【００１６】
イヤホンマイク８は、ステレオによるイヤホンとマイク（図２の８ｂと８ｃ）のほか、バイブレータ８ａを備えるほか、必要に応じて、特開平１０−２９０４９０号公報に示されるような構成部品、例えば、ＬＣＤ、ＣＰＵ、ジョグダイヤル等を備えた高機能型の構成であってもよい。バイブレータ８ａ及び１２は、超小型のモータを駆動源にして機械的な振動を発生するものであり、着呼を音によらず振動によりユーザーに報知することができる。サウンダ１２は、携帯電話機１００の本体に内蔵され、イヤホンマイク８がイヤホンジャック７に接続されていないとき、単一音、メロディ音等により着信音を発生させる。表示部１４は液晶表示器（ＬＣＤ）等を用いて構成され、電話番号、現在の日付、その他の情報を表示する。操作部１５は、テンキーや機能キー（ファンクションキー）を備えて構成され、電話番号の検索、通話許可、通話終了、表示の切り替え、現在の日付修正、電話帳データの入力、電話番号の入力などを行うために用いられる。記憶部１６はは半導体メモリを用いて構成され、電話帳データ、制御部４が実行する際の一時的なデータ等が格納される。
【００１７】
イヤホン接続検出部６は、メロディプレーヤ部５が動作中のとき、イヤホンマイク８がイヤホンジャック７に接続されているか否かを判断し、制御部４に通知する。接続の通知を受けた制御部４は、メロディプレーヤ部５からの音データを音声処理部９及びイヤホンジャック７を通してイヤホンマイク８へ送り、イヤホンマイク８による音楽等の音データの再生（演奏）を可能にする。この再生は、操作部１５のメロディプレーヤ部５のために設定された指定のキーを押下することにより実行でき、操作部１５の操作により開始、選曲、停止、終了等を指定することができる。
【００１８】
この音データの再生中に着呼（着信）があった場合、その着呼は制御部４で検出され、制御部４はイヤホンマイク８内のバイブレータ８ａを駆動する。このとき、メロディプレーヤ部５による音楽等の再生（演奏）は中断されることなく続けられる。バイブレータ８ａにより着呼を知ったユーザーが、操作部１３内の所定のキーを操作してオフフックを行うと、イヤホンマイク８に付属のマイク８ｃとイヤホン８ｂを用いて通話が開始され、同時にメロディプレーヤ部５による音楽等の再生が中断される。
【００１９】
また、イヤホン接続検出部６がイヤホンマイク８の接続無しを検出した場合、イヤホン接続検出部６は制御部４に指令を送り、制御部４ではメロディプレーヤ部５からの音データ（音楽等）を本体に内蔵のスピーカ１９から出力させる。このスピーカ１９による再生中に着呼があった場合、携帯電話機１００の本体内のバイブレータ１１が駆動されて着呼が行われる。着呼を知ったユーザーが、操作部１３の所定のキーを操作してオフフックを行うと、発呼者との接続が可能になり、本体に設けられたマイク１１とスピーカ１０を用いた通話が可能になる。
【００２０】
図２は、音声処理部９及びメロディプレーヤ部５の詳細構成を示す。
メロディプレーヤ部５は、変復調部３からのデジタルによる音データが記憶されるメモリ２１、変復調部３からの音データをメモリ２１に記憶すると共に再生時にメモリ２１から読み出す制御を行うメモリ制御部２２、メモリ２１から読み出されたＭＰＥＧによる音データをデコードするＭＰＥＧデコーダ２３を備えて構成されている。なお、通話時には、受信した通話相手の音声データは変復調部３から復調器３７を通して音声処理部９の入力端に入力される。
【００２１】
なお、メロディプレーヤ部５は図２に示した構成に限定されるものではなく、ＭＰＥＧデコーダ２３の処理をソフトウェアの処理に置き換えることもできる。また、メモリ２１を内蔵とせずに外付けにしてもよいし、半導体メモリに代えて携帯可能なハードディスク（マイクロドライブ）を用いることもできる。また、メモリ２１は、メロディプレーヤ部５に専用のものを用意する必要はない。例えば、メロディプレーヤ部５が携帯電話機１００に内蔵される場合には、メロディプレーヤ部５が制御部４とメモリ２１を共用してもよい。
【００２２】
メモリ制御部２２は、音楽検出手段、再生状態を記憶する再生状態記憶手段、音データ（音楽等）の再生を制御する音楽再生制御手段を備えている。制御部４による着呼検出時に、メロディプレーヤ部５が音データを再生中であることを制御部４が検出すると、再生状態記憶手段によって着呼時（オフフック時）の再生情報（音楽再生手段が着呼時に再生中であったかという情報と、再生中であったならば着呼時に再生されていた音データの音量と音楽の曲データ（音データ）のアドレス情報）が終話まで保持される。音楽検出手段および再生状態記憶手段からの再生情報と終話を示す終話信号とに基づいて、メモリ制御部２２はメロディ演奏の再生や停止の制御を実行する。
【００２３】
また、音声処理部９は、変復調部３またはＭＰＥＧデコーダ２３からの音データの高域成分を除去するローパスフィルタ（ＬＰＦ）３１、このローパスフィルタ３１からのデジタル信号をアナログ信号に変換するＤ／Ａ（デジタル／アナログ）変換器３２、このＤ／Ａ変換器３２の出力信号を増幅してイヤホンマイク８のイヤホン８ｂへ出力するアンプ３３、イヤホンマイク８のマイク８ｃの出力信号を増幅するアンプ３４、このアンプ３４からのアナログ信号をデジタル信号に変換するＡ／Ｄ変換器３５、このＡ／Ｄ変換器３５からの信号を符号化する符号器３６、及び変復調部３からの音声データを復調してローパスフィルタ３１に印加する復調器３７を備えて構成されている。
【００２４】
イヤホンマイク８は、バイブレータ８ａ、一対のイヤホン８ｂ、イヤホン８ｂ及びバイブレータ８ａが装着されると共に伸縮自在な構造のバンド８ｄの下端に延伸させて取り付けられたマイク８ｃを備えて構成されている。バンド８ｄはユーザーの頭に被せるようにして装着される。バイブレータ８ａは、その一部がユーザーの頭の表面に接触するように取り付けられている。一対のイヤホン８ｂは、ステレオによる聴取を可能なようにＬ（左）側とＲ（右）側の電気的接続が独立している。図２においては、説明を簡単にするため、音声処理部９内の処理系をモノラルで示したが、実際には、ローパスフィルタ３１〜アンプ３３はステレオに合わせて２系統を備えている。
【００２５】
図２において、ユーザーが発した音声は、イヤホンマイク８のマイク８ｃでアナログの音声信号に変換された後、イヤホンジャック７を介してアンプ３４に送られ、所定の増幅が行われる。ついで、Ａ／Ｄ変換器３５によりアナログ信号からディジタル信号に変換が行われる。Ａ／Ｄ変換器３５で変換されたデジタル音声信号は、符号器３６によって送信のための符号化が行われ、変復調部３に入力される。変復調部３で変調された音声信号は送受信部２で電波にされ、アンテナ１から基地局へ送信される。
【００２６】
通話状態にあるとき、通話相手の声をのせた高周波信号は、アンテナ１及び送受信部２で受信され、変復調部３及び復調器３７で復調され、さらにローパスフィルタ３１、Ｄ／Ａ変換器３２を経てアナログ信号に変換され、アンプ３２によって増幅の後、スピーカー１０より出力され、或いはイヤホンマイク８のイヤホン８ｂから音声にして出力される。ここで、イヤホンマイク８がイヤホンジャック７接続されていると、イヤホンマイク８のマイク８ｃによってユーザーの肉声が拾われ、また、通話相手の声がイヤホンマイク８のイヤホン８ｂから出力される。
【００２７】
Ｗｅｂの音楽配信サイトから音データ（圧縮処理された音楽情報、その他の音情報）の配信を受ける場合、制御部４は所定の信号を変復調部３へ出力し、ここで変調が行われる。変調された信号は送受信部２から送信される。携帯電話機１００は無線電話網の基地局を通してパケット通信網に接続され、このパケット通信網の音データ（以下、音楽に関するものをダウンロードするものとし、これを音楽データという）を配信するサーバーに接続され、このサーバーから曲目のリストのデータが圧縮されて携帯電話機１００に送られる。
【００２８】
曲目リストデータを受信した携帯電話機１００では、ダウンロードしたい曲名（またはタイトル）を通知し、その音楽データをダウンロードする。携帯電話機１００は、受信した音楽データを変復調部３で復調してディジタル信号にし、メロディプレーヤ部５に送り、メモリ制御部２２を通してメモリ２１に格納する。また、同時に、音楽データのダウンロードを行いながらモニターをすることもできる。この場合、変復調部３で復調されたディジタル信号はＭＰＥＧデコーダ２３に送られ、デコードされたディジタル信号は音声処理部９に送られる。音声処理部９では、ローパスフィルタ３１及びＤ／Ａ変換器３２によってアナログ信号にし、アンプ２４で増幅してスピーカ１０を駆動する。イヤホンジャック７にイヤホンマイク８が接続されている場合には、イヤホン８ｂから出力される。
【００２９】
音楽データをメモリ２１に格納するに際しては、音楽データの先頭アドレスと終了アドレス、ファイル名としての曲名のデータが所定の記憶領域（テーブル）に書き込まれる。メモリ２１に複数の音楽データが格納されている場合、複数の先頭アドレスと終了アドレスのデータがテーブルに書き込まれる。携帯電話機１００は、音楽データのダウンロードが終了すると、制御部４は基地局との接続を解除する制御を行う。
【００３０】
次に、ダウンロードした音楽データの再生を行う場合、操作部１５の所定のキーを操作する。この操作に対して制御部４は、メモリ２１のテーブルを参照して曲名データを読み出し、曲名リストを表示部１４に表示する。ユーザーは表示部１７に表示された曲名リストの中から、聞きたい曲名を操作部１５により選択する。これにより、選択した曲の音楽データがメモリ２１から読み出される。メモリ２１から読み出された音楽データはＭＰＥＧデコーダ２３に送られ、圧縮が戻される。デコードされた音楽データは、音声処理部９によってアナログに戻す処理が施された後、スピーカ１９またはイヤホンマイク８のイヤホン８ｂから音楽として音響出力される。
【００３１】
図３は、本発明による携帯端末装置の動作を示す。図１〜図３を参照して、メロディプレーヤ部５による音楽再生（メロディ演奏）の動作を説明する。なお、本実施の形態においては、フローチャート内のステップをＳで表している。
携帯電話機１００の電源がＯＮにされると（Ｓ１０１）、携帯電話機１００は待ち受け状態（Ｓ１０２）になる。この待ち受け状態（待機）において、電源がＯＦＦにされると（Ｓ１０３）、携帯電話機１００は全ての動作を終了する。待ち受け中に、制御部４によりメロディプレーヤ部５の動作の有無が判断される（Ｓ１０４）。メロディプレーヤ部５の動作中が検出された場合、制御部４はイヤホン接続検出部６を介してイヤホンマイク８がイヤホンジャック７に接続されているか否かを判断する（Ｓ１０５）。イヤホンマイク８がイヤホンジャック７に接続されていないことが判断されたとき、メロディプレーヤ部５による音楽再生はスピーカ１９を通して行われる。
【００３２】
一方、イヤホン接続検出部６がイヤホンマイク８の接続を検出した場合、メロディプレーヤ部５によるメロディ演奏はイヤホンマイク８のイヤホン８ｂを通して行われる（Ｓ１０７）。このメロディ演奏中に着呼があると（Ｓ１０８）、制御部４は着呼の報知をイヤホンマイク８のバイブレータ８ａを駆動して行うと共に、メロディ演奏もイヤホンマイク８に対して実施する（Ｓ１０９）。このとき、表示部１４には発呼者の電話番号が表示されるので、電話を受けてよい相手か否かを事前に把握することができる。この機能により、例えば、１回のみの呼び出しを行って回線接続を断ち、重要な電話と思い込んだユーザーが後から当該電話番号に発呼を行うと法外な料金を請求するといった悪徳業者との接触を回避することができる。
【００３３】
この着呼に対してユーザーが操作部１５を操作してオフフックを行うと（Ｓ１１０）、発呼者との通話が開始される（Ｓ１１１）。同時に、オフフックを知った制御部４はメモリ制御部２２を制御する。メモリ制御部２２は、その時点の再生情報（着呼時に再生されていた音楽の音量、メロディ演奏の曲データ（音データ）のアドレス情報等）を通話が終了するまで保持すると共に、メロディ演奏の停止のための制御を実行する。通話が終了し、ユーザーが操作部１５によりオンフックの操作を行うと（Ｓ１１２）、このオンフックを認識した制御部４がメモリ制御部２２を制御する。メモリ制御部２２は、保持していた再生情報を基に、一時中断していたメロディプレーヤ部５を再起動させる（Ｓ１１３）。メロディプレーヤ部５によるメロディ演奏（再生）が終了すればＳ１０２に戻り、待ち受け状態になる。
【００３４】
Ｓ１０４において、メロディープレーヤ２０が動作していないと判断された場合、処理はＳ１０２に戻され、待ち受け状態を維持する。また、Ｓ１０５において、イヤホンマイク８がイヤホンジャック７に接続されていないと判断された場合、携帯電話機１００に内蔵のスピーカ１９を通してメロディ演奏を実施する（Ｓ１０６）。さらに、Ｓ１０８において、着呼を検出していないと判断された場合、イヤホンマイク８によりメロディ演奏を実施する（Ｓ１０７）。
【００３５】
以上説明したように、上記実施の形態によれば、イヤホンマイク８を使用してメロディプレーヤ部５により音楽等を聞いている最中に着呼を受けた場合でも、音楽等の演奏が中断されることなく、イヤホンマイク８内のバイブレータ８ａの動作により着呼を認識することができるので、ユーザーは着呼に際して不愉快な思いや不快感を感じることがない。ユーザーが着呼よりも音楽等の演奏を重視したいとき、或いは、表示部１４に表示された電話番号の発呼相手が電話に出たくない相手なために着呼を受けたくないときには、非応答の操作をし、或いはそのまま放置すれば着呼は基地局側の制御により一定回数後に着呼が停止するので、メロディ演奏を聞きながら、着呼を拒否することもできる。
【００３６】
図４は、本発明の他の処理例を示す。図４においては、図３と同一の処理には同一引用数字を用いたので、重複する部分についての説明は省略する。図４は図３のＳ１０６の処理に代えてＳ２０１〜Ｓ２０４の処理を設け、イヤホンマイク８を用いず、携帯電話機１００本体のみでメロディ演奏を聞いているときでも、そのメロディ演奏が中断されることなく、着呼をバイブレータ１３により報知できるようにしたところに特徴がある。
【００３７】
イヤホンマイク８がイヤホンジャック７に接続されていないことが判断された場合（Ｓ１０５）、携帯電話機１００単体でメロディプレーヤ部５によるメロディ演奏を行う（Ｓ２０１）。この状態で着呼があると、制御部４はメロディプレーヤ部５によるメロディ演奏を続けたまま、携帯電話機１００に内蔵のバイブレータ１３を駆動し（Ｓ２０３）、ユーザーに着呼を知らせる。この着呼に対してユーザーが操作部１５を操作してオフフックを行うと（Ｓ２０４）、通話が開始される（Ｓ１１１）。同時に、オフフックを知った制御部４はメモリ制御部２２を制御し、その時点の再生情報を通話が終了するまで保持すると共に、メロディ演奏の停止のための制御を実行する。以後、図３で説明したＳ１１１〜Ｓ１１４の処理が実行される。
【００３８】
以上説明したように、上記各実施の形態によれば、メロディプレーヤ部５の動作中に着呼を受けると、メロディプレーヤ部５の動作を継続したまま、イヤホンマイク８がイヤホンジャック７に接続されているときにはイヤホンマイク８のバイブレータ８ａを駆動し、イヤホンマイク８がイヤホンジャック７に接続されていないときにはバイブレータ１３を駆動して着呼を報知し、メロディ演奏等の再生を止めることがないので、着呼時にユーザーに不快感を与えたり、不愉快な思いをさせることがなくなる。
【００３９】
ところで、図１においては、イヤホンマイク８はイヤホンジャック７を介して有線接続する構成としたが、イヤホンマイクをアダプタまたはリモコン装置の構成にし、無線により携帯端末装置に接続するようにしてもよい。この構成例を図５及び図６により説明する。
【００４０】
図５は無線接続による携帯端末装置（携帯電話機）の構成を示す。図５においては、図１に示したと同一であるものには同一引用数字を用いている。図１で説明した部分については、こごては説明を省略する。
【００４１】
携帯端末装置としての携帯電話機４０は、図１に示したアンテナ１、送受信部２、変復調部３、制御部４、メロディプレーヤ５、イヤホンジャック７、音声処理部９、スピーカ１０、マイク１１、サウンダ１２、本体内バイブレータ１３、表示部１４、操作部１５、記憶部１６、スピーカ１９に加え、制御部４に接続されたインターフェース部４１、このインターフェース部４１に接続された送受信部４２、この送受信部４２に接続されたアンテナ４３を備えて構成されている。この場合、イヤホンジャック７はイヤホンマイクを接続の対象とせず、イヤホンのみを対象とし、このイヤホンはステレオであっても、モノラルであってもよい。また、図５においては、電池及び電源部は図示を省略している。送受信部４２とアンテナ４３により、図６に示すワイヤレス（ｗｉｒｅｌｅｓｓ）イヤホンマイク５０との通信が行われる。送受信部４２及びアンテナ４３は、送受信部２及びアンテナ１とは異なる送信電力、送受信周波数、及び通信方式であり、その通信範囲は数メートル程度でよい。通信方式は独自モードでもよいし、ＢｌｕｅＴｏｏｔｈ等の方式を採用してもよい。
【００４２】
図６はワイヤレスイヤホンマイクの構成を示す。
ワイヤレスイヤホンマイク５０は、ＣＰＵを備えて構成される制御回路５１、携帯電話機４０とで無線通信を行うためのアンテナ５２、このアンテナ５２に接続された送信部５３、アンテナ５２に接続された受信部５４、これら回路と制御部５１に接続されたインタフェース回路５５、電池を電源にしてワイヤレスイヤホンマイク５０の全体に電力供給を行う電源部５６、ユーザーにより操作される操作部５７、機械的な振動を発生させる外部バイブレータとしてのバイブレータ５８、このバイブレータ５８を駆動するバイブレータ駆動回路５９、イヤホン６０（ここでは１つのみを示したが実際にはステレオの構成）、このイヤホン６０を駆動するイヤホン駆動回路６１、マイク６２、このマイク６２の音声出力を増幅及びデジタル化してインタフェース回路５５へ出力する音声処理部６３を備えて構成されている。イヤホン６０、マイク６２、及びバイブレータ５８は、図２に示したように、ヘッドフォン型に一体化されている。
【００４３】
図５及び図６において、ワイヤレスイヤホンマイク５０が電源オンにあるとき、ワイヤレスイヤホンマイク５０から常時または定期的に電波が発信されており、この電波を受信した携帯電話機４０は、バイブレータ１３及び携帯電話機４０側の着信報知機能をオフにする。携帯電話機４０における受話音声信号、着信信号及びメロディプレーヤ５からのデータは、制御部４の制御のもとにインターフェース部４１、送受信部４２、及びアンテナ４３を介してワイヤレスイヤホンマイク５０へ微弱電波で送信される。ワイヤレスイヤホンマイク５０においては、アンテナ５２を介して受信部５４で携帯電話機４０からの電波が受信され、インタフェース回路５５を経てワイヤレスイヤホンマイク５０内の各部に送られる。着信信号受信時は、制御回路５１によりバイブレータ駆動回路５９が駆動され、バイブレータ５８が駆動される。このバイブレータ５８の振動動作により、ユーザーは携帯電話機４０の着信有りを知ることができる。
【００４４】
ワイヤレスイヤホンマイク５０はリモコンとしても機能する。ユーザーが操作部５７の所定のキーを押下すると、携帯電話機４０を発呼動作させることができ、接続完了後は、イヤホン６０とマイク６２を使用して通話を行うことができる。通話時の携帯電話機４０からの受話音声信号のほか、着信音信号やメロディプレーヤ５からのデータ（再生音楽信号）は、イヤホン駆動回路６１を通してイヤホン６０に出力される。
【００４５】
ユーザーの音声は、マイク３２により電気信号に変換され、音声処理部６３により処理された後、インタフェース回路５５を介して送信部２３に送られ、変調、増幅その他の処理が行われ、アンテナ５２から微弱電波として放射される。
【００４６】
携帯電話機４０が待ち受け状態にあるとき、メロディプレーヤ５を動作させることができる。メロディプレーヤ５が再生状態のとき、その音データはインターフェース部４１に送られる。制御部４は、インタフェース回路１３に入力された音データを送受信部４２に送出させる。送受信部４２は、送信に必要な信号処理に処理しアンテナ４３からワイヤレスイヤホンマイク５０へ電波で送信する。
【００４７】
ワイヤレスイヤホンマイク５０は、携帯電話機４０からの電波をアンテナ５２で受信し、それを受信部５４で増幅、復調など所定の信号処理を施し、受信再生音楽信号（音データ）を得る。この受信再生音楽信号は、インタフェース回路５５及びイヤホン駆動回路６１を介してイヤホン６０に供給され、音として出力される。このように、ユーザーは、待ち受け状態では、メロディプレーヤ５からの音データをイヤホン６０で聴くことができる。
【００４８】
一方、携帯電話機４０の待ち受け状態において制御部４により着信が検出されると、バイブレータ駆動命令を発生し、その命令をインタフェース回路４１へ送出する。インタフェース回路４１はメロディプレーヤ５からのデータと共にバイブレータ駆動命令をワイヤレスイヤホンマイク５０へ無線により伝送する。
【００４９】
ワイヤレスイヤホンマイク５０では、携帯電話機４０からのバイブレータ駆動命令を受信すると、受信部５４で受信処理し、メロディプレーヤ５からのデータはイヤホン駆動回路６１に送ってイヤホン６０から出力させる。したがって、着信があってもイヤホン６０からはメロディプレーヤ５からのデータが途絶えることなく出力される。一方、バイブレータ駆動命令は、インタフェース回路５５を介してバイブレータ駆動回路５９に出力され、バイブレータ５８が駆動され、その発生振動により着信が報知される。
【００５０】
着信を知ったユーザーが操作部５７の所定のキーを操作し、着信に応答すると、回線接続が行われ、図３で説明したようにしてメロディプレーヤ５からのデータの再生が中断され、マイク６２とイヤホン６０を用いての通話を開始することができる。このとき、制御回路５１、送信部５３、受信部５４、インタフェース回路５５、イヤホン駆動回路６１、及び音声処理部６３の各回路部が動作する。オンフック操作が行われ、通話が終了すると、図３のステップ１１３においてメロディプレーヤ５が再起動する。
【００５１】
図５においては、携帯電話機４０に送受信部を設けた構成としたが、送受信部及びアンテナをアダプタ化し、図１に示した構成の携帯電話機１００に外付けするようにし、このアダプタとワイヤレスイヤホンマイク５０の間で通信を行う構成にしてもよい。また、ワイヤレスイヤホンマイク５０は、イヤホンマイクとしての機能を主体にした構成を示したが、更に、キーボード、カメラ、記憶媒体等を搭載した多機能なユニットであってもよい。
【００５２】
上記実施の形態においては、携帯端末装置（携帯電話機１００）内にメロディプレーヤ部５を内蔵した構成について説明したが、本発明はこの構成に限定されるものではなく、メロディプレーヤ部５と同様の構成によるメロディプレーヤ、或いはＭＤ、デジタルプレーヤ等を外部接続する構成であってもよい。
【００５３】
また、携帯端末装置は携帯電話機であるとしたが、本発明は携帯電話機に限定されるものではなく、例えば、ＰＨＳ（Ｐｅｒｓｏｎａｌ　Ｈａｎｄｙｐｈｏｎｅ　Ｓｙｓｔｅｍ）電話機、無線電話機能を有するＰＤＡ（Ｐｅｒｓｏｎａｌ　Ｄｉｇｉｔａｌ　Ａｓｓｉｓｔａｎｔ）端末機等に対しても本発明を適用可能である。
【００５４】
更に、上記の説明においては、通話に対する着呼について説明したが、例えばデータ通信におけるデータ受信時の報知に本発明を適用することができる。また、着呼の報知をサウンダ１２またはバイブレータ８ａ，１３を用いて行うものとしたが、これらに加えてＬＥＤ（発光ダイオード）等による発光表示を用いることもできる。
【００５５】
また、上記実施の形態においては、Ｗｅｂの音楽配信サイトから音データ（圧縮処理された音楽情報、その他の音情報）をダウンロードしてメロディプレーヤ部５に格納し、再生を行う場合について説明したが、本発明はダウンロードに限定されるものではない。例えば、パーソナルコンピュータにより圧縮処理した音データ、記憶媒体（例えば、メモリカード、ＩＣカード）に記憶された音データ等をメモリ制御部２２を通してメモリ２１に格納し、これを再生する構成にすることもできる。
【００５６】
上記実施の形態においては、着呼があったとき、オフフックと共にメロディプレーヤ部５を一時的に中断し、通話終了後に中断箇所から再生を再開する構成としたが、予めプログラムに複数の選択方法を設定しておくことも、再生時に再生方法を選択できるようにすることも可能である。例えば、（ａ）聞いていた音データを初めから演奏しなおす、（ｂ）再生可能な曲名等のタイトルを全て表示部１４に表示し、その中の１つをユーザーに選ばせる、（ｃ）中断した時点より数秒前に戻してから同じ音データを再生（ユーザーが演奏内容について記憶を呼び戻せるようにするための処置）する等が考えられる。
【００５７】
更に、上記実施の形態においては、音楽の再生を前提に説明したが、再生の対象は動画であってもよいし、音楽等の再生（記憶）と動画の再生（記憶）を同時に行うものであってもよい。音データの再生（記憶）に代えて動画の再生（記憶）を行う場合、メロディプレーヤ部５の代わりに画像を表示部１４に表示させる等、動画のための機能や回路を備えたモジュールを設ければよい。また、音楽等の再生（記憶）と動画の再生（記憶）を同時に行う場合には、メロディプレーヤ部５のほかに、動画のための機能や回路を備えたモジュールを別途追加すればよい。
【００５８】
【発明の効果】
以上より明らかなように、本発明の携帯端末装置によれば、データ再生部の動作中（再生中）に着呼があったとき、制御部はデータ再生部の動作を継続したまま、すなわち音楽等の再生を続けたまま着呼の報知を外部接続のバイブレータを駆動するようにしたので、メロディ演奏等のデータを聞いている最中に着呼を受けたとき、再生中のデータを中断することなく、しかもイヤホンから不快な音を出すことなく外部接続のバイブレータにより報知できるため、着呼に伴う不快感をユーザーに与えることがない。この効果は、バイブレータ付きのイヤホンマイクやワイヤレスイヤホンマイクを用いているときに特に顕著になる。
【図面の簡単な説明】
【図１】本発明による携帯端末装置の構成を示すブロック図である。
【図２】音声処理部９及びメロディプレーヤ部５の詳細構成を示すブロック図である。
【図３】本発明による携帯端末装置の動作を示すフローチャートである。
【図４】本発明による携帯端末装置の他の動作を示すフローチャートである。
【図５】無線接続による携帯端末装置（携帯電話機）の構成を示すブロック図である。
【図６】ワイヤレスイヤホンマイクの構成を示すブロック図である。
【符号の説明】
１　アンテナ
２　送受信部
３　変復調部
４　制御部
５　メロディプレーヤ
６　イヤホン接続検出部
７　イヤホンジャック
８　バイブレータ付きイヤホンマイク
８ａ，１３　バイブレータ
９　音声処理部
１０，１９　スピーカ
１１　マイク（マイクロフォン）
１２　サウンダ
１４　表示部
１５，５７　操作部
１６　記憶部
１７，５６　電源部
１８　電池
４０　携帯電話機
４１，５５　インターフェース部
４２　送受信部
４３，５２　アンテナ
５０　ワイヤレスイヤホンマイク
５１　制御回路
５３　送信部
５４　受信部
５８　バイブレータ
５９　バイブレータ駆動回路
６０　イヤホン
６１　イヤホン駆動回路
６２　マイク
６３　音声処理部
１００　携帯電話機
【図１】
2004080395.tif 000003
【図２】
2004080395.tif 000004
【図３】
2004080395.tif 000005
【図４】
2004080395.tif 000006
【図５】
2004080395.tif 000007
【図６】
2004080395.tif 000008